(57)【要約】【課題】丸みを帯びた筐体であっても、その厚さを厚くすることなくセンサ部を配置できるようにする。【解決手段】筐体３の湾曲面に形成した内側凹部１０に内側センサ窓１１を形成する。筐体３の少なくとも一部を外側センサ窓１３を有する外側凹部１２が形成されたリアカバー４で覆う。指紋センサ１５を筐体３の厚さ方向に対して傾斜して配置し、内側センサ窓１１及び外側センサ窓１３から露出させる。【選択図】図１
2014022873.tif 000002
【特許請求の範囲】
【請求項１】
筐体の湾曲面に形成した内側凹部の内側センサ窓から露出するセンサ部と、
上記筐体の少なくとも一部を覆い、上記センサ部を露出させる外側センサ窓を有する外側凹部が形成された蓋部材とを備えており、
上記センサ部は、上記筐体の厚さ方向に対して傾斜して配置されている
ことを特徴とする携帯端末。
【請求項２】
請求項１に記載の携帯端末において、
上記内側センサ窓は、上記外側センサ窓よりも内側寸法が大きく、
上記内側センサ窓の周縁奥側面にセンサ部のフレキシブル基板が貼り付けられている
ことを特徴とする携帯端末。
【請求項３】
請求項２に記載の携帯端末において、
上記蓋部材の裏面には、上記内側凹部に連続して外部に連通する排水用溝部が形成されている
ことを特徴とする携帯端末。
【請求項４】
請求項１乃至３のいずれか１つに記載の携帯端末において、
上記筐体の正面側に収容された表示部と、
上記表示部の背面側に配置された充電池と、
上記充電池の背面側に配置され、該充電池よりも幅の狭いメイン基板とを備え、
上記蓋部材は、上記メイン基板を背面側から覆い、
上記センサ部は、上記メイン基板に接続されている
ことを特徴とする携帯端末。
【発明の詳細な説明】
【技術分野】
【０００１】
本発明は、センサ部を有する携帯端末に関するものである。
【背景技術】
【０００２】
従来より、指紋センサなどのセンサ部を有する携帯端末が知られている。例えば、特許文献１のように、筐体の外面に配置され、該筐体の外面に略垂直な回転軸を中心に回転可能な回転部と、回転部の表面に第１方向に延びて配置され、該第１方向に略直交する第２方向への指の動きから指紋を読み取る指紋センサとを有する携帯電子機器が知られている。
【先行技術文献】
【特許文献】
【０００３】
【特許文献１】特開２０１０−１３０１０２号公報
【発明の概要】
【発明が解決しようとする課題】
【０００４】
従来よりセンサ部を有する携帯端末では、センサ部は、側面又は背面に配置されることが知られている。
【０００５】
しかしながら、このように側面にセンサ部を設けようとすると、筐体の角部を大きく丸めることができず、弁当箱型となり、さわり心地や見た目が悪くなる。
【０００６】
一方、背面にセンサ部を設けると、センサ部及びその周辺部品の厚みが携帯端末の厚みに大きく影響するという問題がある。
【０００７】
本発明は、このような点に鑑みてなされたものであり、その目的とするところは、丸みを帯びた筐体であっても、その厚さを厚くすることなくセンサ部を配置できるようにすることにある。
【課題を解決するための手段】
【０００８】
上記の目的を達成するために、この発明では、センサ部を筐体の湾曲部に斜めに配置した。
【０００９】
具体的には、第１の発明では、筐体の湾曲面に形成した内側凹部の内側センサ窓から露出するセンサ部と、
上記筐体の少なくとも一部を覆い、上記センサ部を露出させる外側センサ窓を有する外側凹部が形成された蓋部材とを備えており、
上記センサ部は、上記筐体の厚さ方向に対して傾斜して配置されている。
【００１０】
上記の構成によると、センサ部を筐体の厚さ方向に対して傾斜して配置したので、筐体全体の厚さの増加が抑えられると共に、筐体に丸みを設けることができるので、外観や触感がよい。
【００１１】
第２の発明では、第１の発明において、
上記内側センサ窓は、上記外側センサ窓よりも内側寸法が大きく、
上記内側センサ窓の周縁奥側面にセンサ部のフレキシブル基板が貼り付けられている。
【００１２】
上記の構成によると、外側センサ窓を蓋部材における周辺よりも凹んだ外側凹部に設けると共に、内側センサ窓よりも小さくすることで、外圧がセンサ部に加わりにくくなる。
【００１３】
第３の発明では、第２の発明において、
上記蓋部材の裏面には、上記内側凹部に連続して外部に連通する排水用溝部が形成されている。
【００１４】
上記の構成によると、外側センサ窓から浸入した液体は、蓋部材裏面に形成されて内側センサ窓周縁の内側凹部に連続する排水用溝部を通って外部に排出される。
【００１５】
第４の発明では、第１乃至第３のいずれか１つの発明において、
上記筐体の正面側に収容された表示部と、
上記表示部の背面側に配置された充電池と、
上記充電池の背面側に配置され、該充電池よりも幅の狭いメイン基板とを備え、
上記蓋部材は、上記メイン基板を背面側から覆い、
上記センサ部は、上記メイン基板に接続されている。
【００１６】
上記の構成によると、充電池が表示部とメイン基板との間の筐体の厚さ方向中間に設けられているので、筐体の角部を丸めても充電池の幅を小さくする必要がない。このため、充電池が大きく、見映えのよい携帯端末が得られる。
【発明の効果】
【００１７】
以上説明したように、本発明によれば、センサ部を筐体の湾曲面に、その厚さ方向に対して傾斜させて配置したことにより、丸みを帯びた筐体であっても、その厚さを厚くすることなくセンサ部を配置できる。
【図面の簡単な説明】
【００１８】
【図１】図５のＩ部拡大断面図である。
【図２】本発明の実施形態に係る携帯電話機を正面側から見た斜視図である。
【図３】携帯電話機を背面側から見た分解斜視図である。
【図４】携帯電話機の正面図である。
【図５】図４のＶ−Ｖ線断面図である。
【発明を実施するための形態】
【００１９】
以下、本発明の実施形態を図面に基づいて説明する。
【００２０】
図１〜図５は本発明の実施形態の携帯端末としての携帯電話機１（スマートフォン）を示し、この携帯電話機１は、正面側に表示部２を収容する筐体３を有し、その筐体３の背面側が周縁が湾曲した皿形の蓋部材としてのリアカバー４で覆われている。
【００２１】
筐体３は、図１に拡大して示すように、正面側キャビネット３ａと背面側キャビネット３ｂとを有し、正面側キャビネット３ａの中央には、ステンレス鋼板、アルミニウム鋼板などよりなる板金プレート５がインサート成形されている。
【００２２】
上記表示部２は、ガラスカバー、タッチパネル、液晶ディスプレイ等を含み、板金プレート５の正面側に収容されている。表示部２の背面側、つまり板金プレート５の背面側には、充電池６が設けられている。例えば、充電池６は、図示しない両面テープで板金プレート５に貼り付けられている。この充電池６の背面側に充電池６よりも幅の狭いメイン基板７が配置されている。メイン基板７の背面側には、回路部品８が設けられている。リアカバー４は、メイン基板７及び回路部品８を背面側から覆っている。
【００２３】
背面側キャビネット３ｂの周縁の角部は、図１に示すように丸められており、それに合わせてリアカバー４の角部も丸められている。そして、図３にも示すように、背面側キャビネット３ｂの背面から見て右側の湾曲面には、上下方向の長い内側凹部１０が凹陥されている。内側凹部１０の左右中央には、上下方向に長い内側センサ窓１１が開口されている。
【００２４】
これに対応させてリアカバー４は、上下方向に長く、幅が内側凹部１０よりも広い外側凹部１２が形成されている。外側凹部１２の左右中央には、内側センサ窓１１に対応する上下方向に長い外側センサ窓１３が形成されている。上記内側センサ窓１１の内側寸法（左右幅Ｗ１）は、外側センサ窓１３の内側寸法（左右幅Ｗ２）よりも大きくなっている（Ｗ１＞Ｗ２）。そして、内側センサ窓１１の周縁の正面側に例えば防水性の両面テープ等よりなる矩形枠状の防水テープ１４によってセンサ部としての指紋センサ１５のフレキシブル基板１６が正面側から貼り付けられている。フレキシブル基板１６は、矩形板状のベース部１７に貼り付けられてメイン基板７に電気的に接続されている。指紋センサ１５は、筐体３の厚さ方向に対して傾斜して配置されている。そして、この指紋センサ１５が内側センサ窓１１及び外側センサ窓１３から背面側へ露出している。
【００２５】
また、リアカバー４の裏面には、内側凹部１０に連続すると共に外部に連通する排水用溝部１８が形成されている。排水用溝部１８の構成は、特に限定されないが、例えば、図５に概略を示すように、水などの液体がメイン基板７側へ流れ込まないようにしながら背面側キャビネット３ｂ背面との間の隙間を通って、この背面側キャビネット３ｂとリアカバー４との間から液体を排出できるように、リアカバー４に一体に排水用溝部１８を形成すればよい。図１に示すように、内側センサ窓１１の左右幅Ｗ１を外側センサ窓１３の左右幅Ｗ２よりも大きくしたので段差ができ、携帯電話機１を水平に持ったときに内側センサ窓１１に溜まった液体が、排水用溝部１８側へ流れやすくなっている。
【００２６】
このように、指紋センサ１５を筐体３の厚さ方向に対して傾斜して配置したので、筐体３全体の厚さの増加が抑えられると共に、筐体３に丸みを設けることができるので、外観や触感がよい。
【００２７】
また、内側センサ窓１１の幅Ｗ１よりも外側センサ窓１３の幅Ｗ２を小さくすることで、外圧が指紋センサ１５に加わりにくい。また、他の部分よりも低くなった外側凹部１２の外側センサ窓１３から指紋センサ１５を覗かせているので、さらに指紋センサ１５に外圧が加わりにくくなっている。
【００２８】
また、充電池６が表示部２とメイン基板７との間の厚さ方向中間に設けられているので、筐体３の角部を丸めても充電池６の幅を小さくする必要がない。このため、充電池６が大きく、見映えのよい携帯電話機１が得られる。
【００２９】
また、外側センサ窓１３から浸入した液体は、内側センサ窓１１周縁の内側凹部１０に連続する排水用溝部１８を通って外部に排出されるので、液体がメイン基板７側に入り込むのが防止される。
【００３０】
したがって、本実施形態に係る携帯電話機１によると、丸みを帯びた筐体３であっても、その厚さを厚くすることなく指紋センサ１５を配置できる。
【００３１】
（その他の実施形態）
本発明は、上記実施形態について、以下のような構成としてもよい。
【００３２】
すなわち、上記実施形態では、センサ部として指紋センサの例を説明したが、これ以外のセンサ部でもよく、また、電源キーなどのキー又はスイッチを設けてもよい。
【００３３】
なお、以上の実施形態は、本質的に好ましい例示であって、本発明、その適用物や用途の範囲を制限することを意図するものではない。
【産業上の利用可能性】
【００３４】
以上説明したように、本発明は、指紋センサなどのセンサ部を有する携帯電話機などの携帯端末について有用である。
【符号の説明】
【００３５】
１      携帯電話機（携帯端末）
２      表示部
３      筐体
３ａ    正面側キャビネット
３ｂ    背面側キャビネット
４      リアカバー（蓋部材）
５      板金プレート
６      充電池
７      メイン基板
８      回路部品
１０      内側凹部
１１      内側センサ窓
１２      外側凹部
１３      外側センサ窓
１４      防水テープ
１５      指紋センサ（センサ部）
１６      フレキシブル基板
１７      ベース部
１８      排水用溝部
【図１】
2014022873.tif 000003
【図２】
2014022873.tif 000004
【図３】
2014022873.tif 000005
【図４】
2014022873.tif 000006
【図５】
2014022873.tif 000007